(57)【要約】【課題】  モニタ表示を抑制して不必要な電力の消費を防止することを目的とする。【解決手段】  画像データを格納した記憶媒体を着脱可能に装着し、格納された前記記憶媒体から前記画像データを読み出す読出手段を備え、前記画像データを記録ヘッドを用いて記録を行う記録装置であって、前記外部表示手段に信号を出力する信号出力手段と、前記読出手段に前記記憶媒体が装着されているか否かを判定する第１の判定手段とを備え、前記信号出力手段は、前記第１の判定手段が前記記憶媒体が装着されていないと判定した場合に、前記外部表示手段への前記信号の出力を抑制する。【選択図】図１
2005324465.tif 000002
【特許請求の範囲】
【請求項１】
画像データを格納した記憶媒体を着脱可能に装着し、格納された前記記憶媒体から前記画像データを読み出す読出手段を備え、前記画像データを記録ヘッドを用いて記録を行う記録装置であって、
外部表示手段に前記画像データの信号を出力する信号出力手段と、
前記読出手段に前記記憶媒体が装着されているか否かを判定する第１の判定手段とを備え、
前記信号出力手段は、前記第１の判定手段が前記記憶媒体が装着されていないと判定した場合に、前記外部表示手段への前記信号の出力を抑制することを特徴とする記録装置。
【請求項２】
前記信号出力手段は、前記第１の判定手段が前記記憶媒体が装着されていると判定した場合に、前記外部表示手段に前記信号を出力することを特徴とする請求項１に記載の記録装置。
【請求項３】
前記記録手段において記録を行うための記述がなされた情報が前記記憶媒体に含まれるか否かを判定する第２の判定手段を更に備え、
前記信号出力手段は、前記第２の判定手段により前記情報が含まれると判定された場合に、前記信号の出力を抑制することを特徴とする請求項１又は２に記載の記録装置。
【請求項４】
前記外部表示手段を利用して前記記録手段による記録の指示を受け付ける記録指示受付手段を更に備え、
前記信号出力手段は、前記記録の指示を受け付けた場合に、前記外部表示手段への前記信号の出力を抑制することを特徴とする請求項１乃至３のいずれかに記載の記録装置。
【請求項５】
前記外部表示手段における表示情報の信号を受信する受信手段と、
前記受信手段が受信した信号と、前記信号出力手段が前記外部表示手段に出力した信号とを比較する比較手段と、
前記比較の結果、前記受信した信号と前記出力した信号とが一致しない場合に、警告を行う警告手段と
を更に備えることを特徴とする請求項１乃至４のいずれかに記載の記録装置。
【請求項６】
前記外部表示手段に第１の音声信号を出力する音声信号出力手段と、
前記第１の音声信号を再生することにより前記外部表示手段より出力された第２の音声信号を受信する音声信号受信手段と、
前記第１の前記音声信号と前記第２の音声信号とを比較する比較手段と、
前記比較の結果、前記第１の音声信号と第２の音声信号とが一致しない場合に、警告を行う警告手段と
を更に備えることを特徴とする請求項１乃至４のいずれかに記載の記録装置。
【請求項７】
画像データを格納した記憶媒体を着脱可能に装着し、格納された前記記憶媒体から前記画像データを読み出す読出手段を備え、前記画像データを記録記録ヘッドを用いて記録を行う記録装置の制御方法であって、
外部表示手段に信号を出力する信号出力工程と、
前記読出手段に前記記憶媒体が装着されているか否かを判定する第１の判定工程とを備え、
前記信号出力工程では、前記第１の判定工程において前記記憶媒体が装着されていないと判定された場合に、前記外部表示手段への前記信号の出力が抑制されることを特徴とする記録装置の制御方法。
【請求項８】
前記信号出力工程では、前記第１の判定工程において前記記憶媒体が装着されていると判定された場合に、前記外部表示手段に前記信号が出力されることを特徴とする請求項７に記載の記録装置の制御方法。
【請求項９】
前記記録手段において記録を行うための記述がなされた情報が前記記憶媒体に含まれるか否かを判定する第２の判定工程を更に備え、
前記信号出力工程では、前記第２の判定工程において前記情報が含まれると判定された場合に、前記信号の出力が抑制されることを特徴とする請求項７又は８に記載の記録装置の制御方法。
【請求項１０】
前記外部表示手段を利用して前記記録手段による記録の指示を受け付ける記録指示受付工程を更に備え、
前記信号出力工程では、前記記録の指示を受け付けた場合に、前記外部表示手段への前記信号の出力が抑制されることを特徴とする請求項７乃至９のいずれかに記載の記録装置の制御方法。
【請求項１１】
前記外部表示手段における表示情報の信号を受信する受信工程と、
前記受信工程において受信された信号と、前記信号出力工程において前記外部表示手段に出力された信号とを比較する比較工程と、
前記比較の結果、前記受信した信号と前記出力した信号とが一致しない場合に、警告を行う警告工程と
を更に備えることを特徴とする請求項７乃至１０のいずれかに記載の記録装置の制御方法。
【請求項１２】
前記外部表示手段に、第１の音声信号を出力する音声信号出力工程と、
前記第１の音声信号を再生することにより前記外部表示手段より出力された第２の音声信号を受信する音声信号受信工程と、
前記第１の前記音声信号と前記第２の音声信号とを比較する比較工程と、
前記比較の結果、前記第１の音声信号と第２の音声信号とが一致しない場合に、警告を行う警告工程と
を更に備えることを特徴とする請求項７乃至１０のいずれかに記載の記録装置の制御方法。
【発明の詳細な説明】
【技術分野】
【０００１】
本発明は、記録装置及びその制御方法に関する。
【背景技術】
【０００２】
近年、プリンタのような記録装置の多くは、Ｍｉｃｒｏｓｏｆｔ  Ｗｉｎｄｏｗｓ（登録商標）オペレーティング・システムなどのウィンドウ・オペレーティング・システムを有するＩＢＭＰＣやＰＣ互換コンピュータなどの外部装置と接続して使用されている。
【０００３】
この形態においては、コンピュータ上で動作するアプリケーション・ソフトウェアの画像を、プリンタドライバによって記録装置に適合する記録データに変換し、それを記録装置に転送する。一方、が記録装置はその記録データを受け取ると、一旦、記録データバッファに格納する。そして格納された記録データを読み出し、記録媒体上のバンドを走査して画像を記録する。
【０００４】
これに対して近年、フルカラープリント技術の向上により、銀塩写真と比較できるレベルの高画質なプリントが可能になってきている。そしてデジタルカメラの普及に伴い、記録装置とデジタルカメラとをＵＳＢ（Universal Serial Bus）や特別なインターフェースを介して接続し、デジタルカメラからの画像データを記録装置が直接受け取って記録可能としたものが知られている。更に、近年においては、携帯電話にデジタルカメラと同様な撮像機能を持たせ、一般のデジタルカメラと同様に撮像可能なものも知られている。
【０００５】
また携帯電話には、外部の機器との通信のための赤外線通信用のインターフェースを備え、この赤外線を利用して無線で外部の機器と通信可能としたものも出現している。
【０００６】
その他従来の記録装置には、デジタルカメラに着脱され、そのカメラで撮影した画像データを記憶しているメモリカードを記録装置にも取り付け可能なスロットを設け、そのメモリカードに記憶されている画像データをモニタに表示しながら記録する画像を選択し、その画像を記録可能としたものがある（特許文献１参照）。
【０００７】
以下、図８により従来の記録装置について説明する。
【０００８】
図８は、従来例における記録装置の構成例である。９００はディジタルスティルカメラ（以下ＤＳＣ）、９０１はＤＳＣで撮影した画像情報を記憶する着脱自在のメモリカード、８００は写真をプリントする記録装置、９０２はプリンタに接続されたモニタ、９０３は記録装置８００から記録された画像（写真）である。
【０００９】
このシステムでは、ＤＳＣ９００は、通常の写真システムにおけるカメラに、メモリカード９０１はそのフィルムに相当する。メモリカード９０１に数１０枚の画像を撮影し終わると、ユーザーは、ＤＳＣ９００からメモリカード９０１（フィルム）を外し、記録装置８００に装着する。記録装置８００は、モニタ９０２への画像表示機能を有しており、メモリカード９０１に記憶されている画像を表示する機能（以下ブラウジング機能）により、プリントする画像を一枚または複数枚選び、記録装置８００に備えられているカーソルキーのような指示機能を用いて選択する。
【００１０】
選択が終了し記録開始を指示すると、記録装置８００は選択した画像を連続してプリントする。
【特許文献１】特開平１１−７８１３１号公報
【発明の開示】
【発明が解決しようとする課題】
【００１１】
従来の記録装置では、パーソナルコンピュータ（ＰＣ）やデジタルカメラからプリント出力している場合や、あらかじめ記録する画像と枚数を指定したファイルの情報に従ってメモリカードに記憶された画像をプリント出力する場合等のように、モニタに記録画像を表示する必要がない場合でもモニタに対して映像信号を出力しているため、不必要な電力を消費してしまう。
【００１２】
そこで、本発明は、モニタ表示を抑制して不必要な電力の消費を防止することを目的とする。
【課題を解決するための手段】
【００１３】
本発明は上記課題を解決するために、画像データを格納した記憶媒体を着脱可能に装着し、格納された前記記憶媒体から前記画像データを読み出す読出手段を備え、前記画像データを記録ヘッドを用いて記録を行う記録装置であって、前記外部表示手段に信号を出力する信号出力手段と、前記読出手段に前記記憶媒体が装着されているか否かを判定する第１の判定手段とを備え、前記信号出力手段は、前記第１の判定手段が前記記憶媒体が装着されていないと判定した場合に、前記外部表示手段への前記信号の出力を抑制する。
【発明の効果】
【００１４】
本発明によれば、モニタ表示を抑制して不必要な電力の消費を防止することを目的とする。
【発明を実施するための最良の形態】
【００１５】
以下、添付する図面を参照して、本発明の実施形態を詳細に説明する。
【００１６】
［第１の実施形態］
図１は、本実施形態に対応する記録装置を用いたシステムの構成例を示す図である。本実施形態に対応する記録装置は、写真ライクの画像を記録できる記録装置であって、特にディジタルカメラ等において撮像された画像を記録するメモリカード、ディジタルカメラ或いはパーソナル・コンピュータ（以後PCとする）と接続し取得した画像データを記録可能な装置である。
【００１７】
２００はディジタルスティルカメラ（以下ＤＳＣ）、２０１はＤＳＣで撮影した画像情報を記憶する記憶手段としての着脱自在のメモリカード、２０４はＭｉｃｒｏｓｏｆｔ  Ｗｉｎｄｏｗｓ（登録商標）オペレーティング・システムなどのウィンドウ・オペレーティング・システムを有するＩＢＭ ＰＣやＰＣ互換コンピュータ（以下PC）である。１００は画像データ等を記録する記録装置、２０２は記録装置１００に接続されたモニタであり、ＣＲＴ表示装置やＬＣＤ表示装置で構成される。２０３は記録装置１００により画像が記録された記録用紙である。
【００１８】
このシステムにおいて、メモリカード２０１に記憶されている画像を記録する方法には、まず次のような方法がある。メモリカード２０１に数１０枚の画像を撮影し終わると、ユーザーは、ＤＳＣ２００からメモリカード２０１を外し、記録装置１００に装着する。記録装置１００は、モニタ２０２への画像表示機能（以下、ブラウジング機能）を有しており、メモリカード２０１に記憶されている画像をモニタ２０２に出力し、モニタ２０２表示することができる。ユーザーは、このようにして表示された画像の中からプリントする画像を一枚または複数枚選び、記録装置１００に備えられているカーソルキー等の指示機能を用いて選択入力を行う。選択入力が行われ、記録開始指示がなされると、記録装置１００は選択入力された画像を連続してプリントする。
【００１９】
別の方法として、ＤＳＣ２００にメモリカード２０１を装着したままで、ＤＳＣ２００と記録装置１００を所定の（例えばUSB）ケーブルで接続し、所定の規格（例えばPictBridge）で画像データを転送することによってプリントするもできる。この方法においてはさらに、コンピュータ２０４に記憶された画像データを所定のケーブルで接続して所定の手順で画像データを転送することによってプリントすることが可能である。これらの記録方法では、受信画像データが記録する画像となるため、記録する画像を指定する必要がない。
【００２０】
本実施の形態の記録装置では、メモリカードとして標準化されているＣＦ（コンパクトフラッシュ（登録商標））カードやＳＭ（スマートメディア）カードなど複数種類のものが使用可能になっている。
【００２１】
図２は、記録装置１００の内部の回路構成の一例を示す図である。各構成はハードウエアまたはファームウエア、あるいはその両方から構成されている。
【００２２】
１０１はμプロセッサを含むＡＳＩＣ（Application Specific Integrated Circuit）、１０２はプログラムコードやそれが使用する定数を記憶するＲＯＭ、１０３は当該プログラムコードが利用する変数や画像データの一時記憶領域として利用されるＲＡＭ、１０４はメモリカード２０１を装着するためのスロットを構成するコネクタ、１０７はコネクタ１０４に接続されたメモリカード２０１の内部のコントローラを制御するカード接続制御部、１０５はＤＳＣ２００と接続するためのＵＳＢ（Universal Serial Bus）の標準Ａコネクタ、１０８はＤＳＣ２００との接続を制御するＤＳＣ接続制御部、１０６はＰＣ２０４と接続するためのＵＳＢの標準Ｂコネクタである。
【００２３】
１０９はＰＣ２０４との接続を制御するＰＣ接続制御部、１１０はモニタ２０２へ出力するデータを一時的に記憶するビデオＲＡＭ、１１１は映像信号制御部で、ビデオＲＡＭ１１０に格納されている画像を読み出し映像信号変換すると共に、入力された画像データやユーザ操作に必要な文字やアイコンなどの情報をビデオＲＡＭ１１０に書き込む。
【００２４】
１１２は映像信号制御部１１１から映像信号をモニタ２０２に送り出すモニタ出力端子、１１３は受信した画像やメモリカードに記憶された画像を記録するための記録ヘッドを含む記録機構部である。この記録機構部は、例えば、記録ヘッドを記録用紙（被記録媒体）に対して主走査方向に往復移動させる走査手段、記録用紙を主走査方向と異なる副走査方向に搬送する搬送手段を含んでいる。なお、記録ヘッドは、例えば、１２８のノズルを有しており、そのノズルの配列方向は、副走査方向に沿っている。１１４はパワーキー、カーソルキー等の操作キーと、電源の投入状態を表示するためのＬＥＤ、記録装置のエラーを表示するためのＬＥＤを含む操作部である。
【００２５】
その他図示していないが、カード接続制御手段１０７を用いてメモリカード２０１に格納されたファイルにアクセスするファイル制御部、カード接続制御部１０７を用いてメモリカード２０１に格納された所定形式の全ての画像ファイルを検索するファイル検索部、圧縮画像を伸張する画像伸張部、前記画像伸張部により伸張された画像を記録に適したデータに変換する記録データ変換部、モニタ２０２の表示に適したデータに変換する表示データ変換部、記録装置１００全体の記録動作を制御する記録制御部、映像信号制御部の機能を有効あるいは停止する構成は、ＲＯＭ１０２に記憶されたプログラムコード、ＡＳＩＣ１０１に組み込まれた入出力部や割り込み制御部とで実現されている。
【００２６】
図３は、本実施形態の記録装置における記録に至るまでの手順を説明するためのフローチャートである。記録処理に関しては、従来の記録装置と同様なので詳細は省くが、ここで採用される印字部は、インクジェット方式、熱昇華型方式あるいはその他の方式のいずれでも構わない。
【００２７】
記録装置の電源が投入されると、まずステップＳ３０１において、モニタ２０２への信号出力をオフにする。この場合、最も省電力に努めるのならば、ビデオＲＡＭ１１０と映像信号制御部１１１への電源供給を停止すればよい。次にステップＳ３０２において、メモリカード２０１が装着されているかをチェックする。もし、メモリカード２０１が装着されている場合は、ステップＳ３０３において記録を行うための記述がなされたファイル、より具体的には記録する画像とその枚数が記述されているファイル（記録指定ファイル）が存在するかをチェックする。
【００２８】
ステップＳ３０３において、記録指定ファイルが存在しない場合には、ステップＳ３０４においてモニタ２０２への信号出力をオンにする。必要ならばビデオＲＡＭ１１０と映像信号出力制御部１１１へ電源を供給する。
【００２９】
ステップＳ３０５においてユーザの操作可能なメニューを表示する。ここで表示されるメニューにはメモリカードの画像を『印刷する（記録する）』場合、画像を連続的に表示する『スライドショー』、および記録装置の『設定』や『メンテナンス』などが含まれる。
【００３０】
ステップＳ３０６では、メニュー画面中の『印刷する（記録する）』が選択されたか否かを監視し、選択された場合にはステップＳ３０７において、記録する画像を指定させるための画像を表示する。ここで、画像の表示形態は、１枚ずつ表示するのもよし、あるいは複数枚ずつ表示するのでもかまわない。いずれの場合も表示する画像を順次切り替えることが可能で、記録する画像の任意の指定が可能である。ステップＳ３０８において記録指示を受け付けると、ステップＳ３１２において、指定された画像の記録を行う。
【００３１】
一方、ステップＳ３０３において、記録指定ファイルが存在すると判定された場合には、ステップＳ３１２に進み、記録する画像とその枚数が記述されているファイルに従って記録を行う。この場合、モニタ２０２への信号出力はオフのままである。
【００３２】
もし、ファイルが存在しても自動的に記録をしないでユーザに指示を仰ぐのであれば、ステップＳ３１２には進まないで、ステップＳ３０４へ移行すればよい。但し、、この場合にはステップＳ３０５において表示される操作メニューに『ファイルに従って印刷する（記録する）』が追加される。ここで記録指定ファイルが存在しない場合は、『ファイルに従って印刷する（記録する）』の選択項目をグレーアウトするなどして、ユーザーが選択できないようにしておくことが好ましい。
【００３３】
ステップＳ３０２において、メモリカード２０１が装着されていないと判定された場合には、ステップＳ３０９において、モニタ２０２への信号出力をオフする。ステップＳ３１０では、ＤＳＣ２００あるいはＰＣ２０４からデータ受信の有無を判定する。ステップＳ３１０において、ＤＳＣ２００あるいはＰＣ２０４からデータを受信していると判定されれば、ステップＳ３１１において記録する画像を受信する。一方、データを受信していないと判定されればステップＳ３０２に戻って、メモリカード２０１の装着の判定を行う。ステップＳ３１１において、画像データの一部あるいは全部を受信したら、ステップＳ３１２に移行して記録を行う。
【００３４】
ここで一部のデータを受信した場合にも記録を行うと記載したのは、画像データがJPEG形式であれば全てのデータを受信するまで記録は開始できないが、ビットマップ形式であれば印字部の構成によっては全部のデータを受信する前に記録することも可能だからである。
【００３５】
ステップＳ３１２における記録に関する処理として、JPEG形式の画像データからプリントデータを作成し、プリント出力するまでの一連の処理、モニタ２０２を利用して記録する画像を選択する方法、及び、ファイルの検索方法等は公知の技術であるので、ここではその説明を省略する。
【００３６】
尚、上記の処理では、ステップＳ３０４においてモニタ２０２への信号出力をオンにした後、モニタ２０２の信号出力をオフとしていないが、ステップＳ３０８における記録する画像の指定を受け付けた後において、モニタ２０２の信号出力をオフとしても良い。これにより、メモリカードの画像を選択して記録する場合でも、記録中はモニタ表示をしないようにして不必要な電力消費を防止することができる。
【００３７】
以上説明したように、本実施形態に対応する発明によれば、画像選択を行って記録を指示する場合においてモニタ信号出力を行って、モニタ２０２に所定の画面表示を行わせる一方、ＤＳＣやＰＣと接続されている場合や、記録指定ファイルに基づいて記録処理を行う場合には、モニタ信号出力を停止して、モニタ２０２における画面表示を抑制して、不必要な電力消費を防止することができる。
【００３８】
［第２の実施形態］
第１の実施形態では、モニタ２０２の信号出力をオフして不必要な消費電力の防止を可能としたが、本実施形態ではモニタ２０２に出力された信号をループバックして、モニタ２０２との接続異常を検知する発明について説明する。
【００３９】
図４は本実施形態に対応する記録装置１００の構成の一例を記載したものであり、図２に示す記録装置１００に、更にモニタ入力端子１２０と映像信号入力制御部１２１が追加されている。モニタ入力端子１２０には、モニタ出力端子１１２から出力された信号がモニタ２０２を介してループバックするように構成されている。この構成において、モニタ２０２へ出力した映像信号とループバックされた映像信号を復調してビットマップデータを得ることができる。
【００４０】
復調により得られたビットマップデータと、その時点においてビデオＲＡＭ１１０に保持されているビットマップデータとを比較することによって、モニタ２０２の表示が正常に行われているか否かを判別できる。比較の結果、両ビットマップデータが概略一致していれば正常に表示されており、データが相違する場合には異常が生じていると判定される。
【００４１】
具体的には、図３のステップＳ３０４の後に、図５に示すようなフローを追加することができる。
【００４２】
この場合、ステップＳ３０４においてモニタ２０２への信号出力がオンされると、ステップＳ５０１においてモニタ２０２から出力される信号を受信する。ステップＳ５０２では、受信した信号を復調してビットマップデータを生成する。
【００４３】
ステップＳ５０３では、ビデオＲＡＭ１１０上のビットマップデータと、ステップＳ５０２において生成されたビットマップデータとを比較して、一致した場合には、図３におけるステップＳ３０５の操作メニュー表示を行う。
【００４４】
一方、一致しない場合には、ステップＳ５０５へ移行して、操作部１１４の表示手段を利用してユーザーへの警告通知を行い、処理を終了する。
【００４５】
また、他の実施形態として、ＤＳＣ２００やＰＣ２０４からデータを受信して記録を行う際、その記録動作の状態の遷移をモニタ２０２に表示するような場合にも適用できる。なお、ユーザーの設定により、ＤＳＣ２００やＰＣ２０４からデータを受信して記録を行う場合にも、モニタ２０２へ信号出力することを許可できる構成にしても構わない。ユーザーの操作により、モニタ２０２への信号出力の「オン」を設定すれば、図３のステップＳ３０９においても、信号出力はオンされ、記録動作の状態の遷移をモニタに表示させることができる。そして、このような、状態遷移の表示を行う場合においても、モニタ２０２での表示の異常を検出した場合に、モニタ２０２への信号出力をオフにする。
【００４６】
以上のように、本実施形態によれば、記録装置１００に正しくモニタ２０２が接続されているかどうかを判定して、異常があればユーザーに警告を行って、正しい接続を行うように促すことができる。
【００４７】
［第３の実施形態］
第２の実施形態ではモニタ２０２に出力された信号をループバックして、モニタ２０２の接続異常を検知したが、本発明では音声信号に基づいて当該以上を検知する場合について説明する。
【００４８】
図６は、本実施形態に対応する記録装置１００の構成の一例を示す図である。図６に示す記録装置１００では、図３に示す記録装置１００と比較して、音声信号出力制御部１３０、音声信号出力端子１３１、音声信号入力制御部１３３、音声信号入力素子１３２が追加されている。
【００４９】
具体的には、図７に示すフローチャートに対応する処理が実行される。
【００５０】
ステップＳ３０４においてモニタ２０２への信号出力がオンされると、ステップＳ７０１において特定周波数の音声信号を音声信号出力制御部１３０から音声信号出力端子を介して出力し、モニタ２０２のスピーカーで再生する。ステップＳ７０２では、スピーカーで再生された音声を音声信号入力素子（マイクロフォン）１３２で受信し、ステップＳ７０３において、音声信号入力制御部１３３で音声信号として復元する。
【００５１】
ステップＳ７０４では、モニタ２０２へ出力された音声信号の周波数と復元された信号の周波数とを比較し、一致する場合（ステップＳ７０５でＹＥＳ）には、ステップＳ３０５へ移行して、図３におけるステップＳ３０５の操作メニュー表示を行う。
【００５２】
一方、一致しない場合には、ステップＳ７０６へ移行して、操作部１１４の表示手段を利用してユーザーへの警告通知を行い、処理を終了する。
【００５３】
以上のように、本実施形態によれば、記録装置１００に正しくモニタ２０２が接続されているかどうかを判定して、異常があればユーザーに警告を行って、正しい接続を行うように促すことができる。
【００５４】
［その他の実施形態］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００５５】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００５７】
【図１】本発明の実施形態に対応する記録装置を用いたシステム構成の一例を示す図である。
【図２】本発明の第１の実施形態に対応する記録装置の構成の一例を示す図である。
【図３】本発明の第１の実施形態に対応する処理のフローチャートである。
【図４】本発明の第２の実施形態に対応する記録装置の構成の一例を示す図である。
【図５】本発明の第２の実施形態に対応する処理のフローチャートである。
【図６】本発明の第３の実施形態に対応する記録装置の構成の一例を示す図である。
【図７】本発明の第３の実施形態に対応する処理のフローチャートである。
【図８】従来の記録装置の構成図である。
【図１】
2005324465.tif 000003
【図２】
2005324465.tif 000004
【図３】
2005324465.tif 000005
【図４】
2005324465.tif 000006
【図５】
2005324465.tif 000007
【図６】
2005324465.tif 000008
【図７】
2005324465.tif 000009
【図８】
2005324465.tif 000010